(57)【要約】【課題】この考案は、ホルダーより繰り出したペーパーが確実に切断でき、しかも、次回に繰り出すペーパーの端部を持ち出し易いトイレットペーパーの簡易切断具を開発・提供しようとするものである。【解決手段】帯板材を、全体の形状が「コ」の字状、あるいは全体の形状が「Ｌ」字状に折り曲げて形成した取付けフレーム本体（１）を設け、該フレーム本体（１）には切断刃（２）を設けるにあたり、ロールペーパー（Ｘ）の軸部（Ｙ）と相向する位置であって、該ロールペーパー（Ｘ）とは所定の間隔（Ｓ）を保って、フレーム本体（１）に切断刃（２）を取付け、前記フレーム本体（１）を、固定手段（３）を用いてペーパーホルダー（Ｚ）に固着することを特徴とするトイレットペーパーの簡易切断具。【選択図】  図４
0003183191.tif 000002
【実用新案登録請求の範囲】
【請求項１】
帯板材を、全体の形状が「コ」の字状、あるいは全体の形状が「Ｌ」字状に折り曲げて形成した取付けフレーム本体（１）を設け、
該フレーム本体（１）には切断刃（２）を設けるにあたり、ロールペーパー（Ｘ）の軸部（Ｙ）と相向する位置であって、該ロールペーパー（Ｘ）とは所定の間隔（Ｓ）を保って、フレーム本体（１）に切断刃（２）を取付け、
前記フレーム本体（１）を、固定手段（３）を用いてペーパーホルダー（Ｚ）に固着することを特徴とするトイレットペーパーの簡易切断具。
【考案の詳細な説明】
【技術分野】
【０００１】
この考案は、トイレットペーパーの簡易切断具に関するものである。
【背景技術】
【０００２】
従来、トイレットペーパーは、ロール状に巻かれたものであり、便器近傍の壁にホルダーに装着されており、使用する際、適宜な長さほど手繰りだして、切断して使用するものである。
【０００３】
しかしながら、ホルダーの上面に設けたカバーの先端面に刃部が設けられているか、あるいはホルダーの先端辺の断面が尖鋭に形成されており、これを利用してペーパーを切り落とすよう構成されている。
【０００４】
しかし、大抵のカバーは軽いため、片手でペーパーを切り落とそうとするとカバーが浮き上がってしまい、よく切れないため、一方の手でカバーを押さえて、他方の手でペーパーを適当な長さを繰り出して切断しており、両手を用いて使用することは、身体の不自由な人はもちろん、健常者にとっても不便であった。
【０００５】
上記の不便に加え、さらに切り取ったトイレットペーパーの端部は、カバーの中に位置することが多く、この端部を掴むことが煩雑であり、それを解決するというトイレットペーパーの切断具は存在している。例えば、特許文献１のように。
【先行技術文献】
【特許文献】
【０００６】
【特許文献１】登録実用新案第３１７９３３７号公報
【０００７】
しかしながら、この技術内容は、トイレットペーパーホルダー２より下方の壁面４にビス１１にて固定した支持板１２を設けたものであるが、刃部ａ１３は、支持板１２の前部に突出して設けられており、ペーパーの先を引っ張って刃部に接触させて切断しようとしてもローラー状に巻回されており、押さえ箇所がないため、ドンドン繰り出して来て、うまく切断できるものではなかった。
【考案の開示】
【考案が解決しようとする課題】
【０００８】
そこで、ホルダーより繰り出したペーパーが確実に切断でき、しかも、次回に繰り出すペーパーの端部を持ち出し易いトイレットペーパーの簡易切断具を開発・提供しようとするものである。
【課題を解決するための手段】
【０００９】
課題を解決するための手段として、この考案は、ペーパーホルダーに装着されたロール状に巻回されたペーパーと所定の隙間を隔てて切断刃を有するフレーム本体を設け、該フレーム本体をペーパーホルダーに固定手段を用いて固定したトイレットペーパーの簡易切断具である。
【考案の効果】
【００１０】
この考案によると、帯板材を、全体の形状が「コ」の字状、あるいは全体の形状が「Ｌ」字状に折り曲げて形成したフレーム本体と、ペーパーホルダーに装着されたロール状に巻回されたペーパーの外周とは、所定の隙間を保って設けられており、該フレーム本体に切断刃を設けているため、その都度ペーパーはフレーム本体の切断刃で切断されるが、常に切断刃によって切断されたペーパーの余辺は、ペーパーホルダーのカバーより、外で常に切断されるため、次に使用する際、ペーパーの先端部をつまみ易い等の有益なる効果を奏する。
【００１１】
また、ぺーパーの余辺の先端が、フレーム本体から外れても隙間（Ｓ′）から指を差し込んで取り出すことが出来、便利である等の効果も奏する。
【図面の簡単な説明】
【００１２】
【図１】この考案の一実施例を示す斜視図である。
【図２】この考案の使用状態を示し、（Ａ）は、平面図であり、（Ｂ）は、正面図である。
【図３】この考案の使用状態を示す側面図である。
【図４】この考案の使用状態を示す斜視図である。
【図５】この考案の他の実施例を示す斜視図である。
【図６】この考案の他の使用状態を示す斜視図である。
【考案を実施するための最良の形態】
【００１３】
以下、この考案について詳細に説明する。尚、この考案においては、以下の記述に限定されるものではなく、この考案の要旨を逸脱しない範囲においては適宜変更可能である。
【実施例１】
【００１４】
そこで、この考案の一実施例を図１〜図４に基づいて詳述すると、帯板材を、全体の形状が「コ」の字状に折り曲げ、取付けフレーム本体（１）を設け、該フレーム本体（１）に切断刃（２）を設けるにあたり、ロールペーパー（Ｘ）と対向し、該ロールペーパー（Ｘ）の軸部（Ｙ）と相向する位置のフレーム本体（１）に、該ロールペーパー（Ｘ）とは所定の間隔（Ｓ）を開けて切断刃（２）を取付け、前記フレーム本体（１）を、固定手段（３）を用いてペーパーホルダー（Ｚ）に固着することを特徴とするトイレットペーパーの簡易切断具から構成されるものである。
【００１５】
尚、フレーム本体（１）の全体の形状が、「コ」の字状に折り曲げて形成したものであり、素材については限定しないものであり、また、上記の「コ」の字状に折り曲げて形成した取付けフレーム本体（１）は、横幅寸法（Ｗ）は、ペーパーホルダー（Ｚ）の横幅よりもやや大きく形成し、深さ寸法（Ｄ）もペーパーホルダー（Ｚ）の深さ寸法より大きく形成し、ロールペーパー（Ｘ）の外周とフレーム本体（１）とは、隙間（Ｓ）を保って取付けるものである。
【００１６】
尚、該フレーム本体（１）に取り付ける切断刃（２）は、図１〜図４においては、フレーム本体（１）の外側に設けたものを図示しているが、フレーム本体（１）の内側に設けてもよいものである。
【００１７】
また、固定手段（３）は、図１〜４までは、フレーム本体（１）の両側面にビス穴を複数個形成し、該ビス穴にビスを挿入し、フレーム本体（１）とペーパーホルダー（Ｚ）とを締めつけ固定したものを示しているが、他の方法、例えば、両面テープ、瞬間接着剤で、フレーム本体（１）とペーパーホルダー（Ｚ）とを接着し、固定してもよい。
【００１８】
次に、この考案の他の実施例を図５、図６に基づいて詳述すると、帯板材を、全体の形状が「Ｌ」の字状に折り曲げ、取付けフレーム本体（１′）を設け、該フレーム本体（１′）に形成する切断刃（２）を設けるにあたり、ロールペーパー（Ｘ）と対向し、該ロールペーパー（Ｘ）の軸部（Ｙ）と相向する位置のフレーム本体（１′）に設け、該ロールペーパー（Ｘ）とは所定の間隔（Ｓ）を開けて切断刃（２）を取付け、前記フレーム本体（１）を、固定手段（３）を用いてペーパーホルダー（Ｚ）に固着することを特徴とするトイレットペーパーの簡易切断具から構成されるものである。
【００１９】
尚、取付けフレーム本体（１′）の横幅寸法（Ｗ′）は、ペーパーホルダー（Ｚ）の横幅よりもやや大きく形成し、深さ寸法（Ｄ）もペーパーホルダー（Ｚ）の深さ寸法より大きく形成するものである。
【産業上の利用可能性】
【００２０】
この考案のトイレットペーパーの簡易切断具の技術を確立し、この技術をもとに製造・販売することにより産業上の利用可能性を有する。
【符号の説明】
【００２１】
１，１′取付けフレーム本体
２  切断刃
３  固定手段
Ｓ，Ｓ′隙間
Ｗ，Ｗ′横幅寸法
Ｘ  ロールペーパー
Ｙ  軸部
Ｚ  ペーパーホルダー
【図１】
0003183191.tif 000003
【図２】
0003183191.tif 000004
【図３】
0003183191.tif 000005
【図４】
0003183191.tif 000006
【図５】
0003183191.tif 000007
【図６】
0003183191.tif 000008